(57)【要約】【課題】蓄電素子に沿って形成される風路を備えた蓄電モジュール、蓄電モジュールを並べた蓄電装置において、冷却媒体を風路内を効果的に流通させる。【解決手段】本発明に係る蓄電モジュールは、蓄電素子と、蓄電素子に沿って形成される風路と、蓄電素子を保持するフレームと、前記風路と連通するようにフレームの外面上で開放した開口部と、該開口部を包囲する風路接続部材とを備えている。本発明に係る蓄電装置は、複数の蓄電モジュールを整列し、風路接続部材が一方の蓄電モジュールの風路と他方の蓄電モジュールの風路とを連結している。【選択図】図１
2014203752.tif 000002
【特許請求の範囲】
【請求項１】
蓄電素子と、
蓄電素子に沿って形成される風路と、
蓄電素子を保持するフレームと、
前記風路と連通するようにフレームの外面上で開放した開口部と、
該開口部を包囲する風路接続部材とを備えている
蓄電モジュール。
【請求項２】
前記フレームは、前記風路に沿う方向の終端部材と、該終端部材を連結し、かつ、前記開口部を形成した連結部材とを備え、開口部以外で内部を密閉している
請求項１に記載の蓄電モジュール。
【請求項３】
前記風路連結部材は、前記フレームに接合されている
請求項１又は２に記載の蓄電モジュール。
【請求項４】
前記蓄電素子は、一方向に複数整列され、
前記風路接続部材は、中央側の蓄電素子に沿って形成される風路の開口部を包囲する
請求項１ないし３のいずれか一項に記載の蓄電モジュール。
【請求項５】
前記複数整列された蓄電素子のうち、両側の蓄電素子に沿って形成される風路が塞がれている
請求項４に記載の蓄電モジュール。
【請求項６】
蓄電素子と、蓄電素子に沿って形成される風路と、蓄電素子を保持するフレームと、前記風路と連通するようにフレームの外面上で開放した開口部と、該開口部を包囲する風路接続部材とを備えた蓄電モジュールを複数整列し、
風路接続部材が一方の蓄電モジュールの風路と他方の蓄電モジュールの風路とを連結している
蓄電装置。
【請求項７】
短手方向に風路を形成し、長手方向に蓄電素子を並べた前記蓄電モジュールを、短手方向に複数整列した
請求項６に記載の蓄電装置。
【請求項８】
内部に蓄電素子を有する蓄電モジュールの外面上で開放し、前記蓄電素子に沿って形成される風路と連通する開口部を包囲するように蓄電モジュールの外面上に設けられた環状凸部に対して接合可能に形成され、全周に亘って互いに間接又は直接に接続された一対の環状接合部を備える
風路接続部材。
【発明の詳細な説明】
【技術分野】
【０００１】
本発明は、電池セル（単電池）やキャパシタなどの蓄電素子と、この蓄電素子に沿って形成される風路とを備えた蓄電モジュール、蓄電モジュールを並べた蓄電装置、及び、並べられた蓄電モジュールの風路同士を接続する風路接続部材に関する。
【背景技術】
【０００２】
蓄電装置として、水平方向及び鉛直方向に整列される複数の蓄電素子と、複数の蓄電素子を保持するフレームとを備え、蓄電素子に沿って風路を形成したものが知られている（例えば、特許文献１）。
【０００３】
この種の蓄電装置は、風路が不連続に形成されているため、圧力損失が大きく、また、風路の上流を流通する冷却媒体と風路の下流を流通する冷却媒体との温度差が大きく、冷却媒体の下流側に配置された電池セルを十分に冷却できないことがある。
【先行技術文献】
【特許文献】
【０００４】
【特許文献１】特開２０１２−１９０６０４号公報
【発明の概要】
【発明が解決しようとする課題】
【０００５】
そこで、本発明は、冷却媒体が風路内を効果的に流通するようにした蓄電モジュール、この蓄電モジュールを備えた蓄電装置、及び、蓄電モジュールの風路同士を連結する風路接続部材を提供することを課題とする。
【課題を解決するための手段】
【０００６】
本発明に係る蓄電モジュールは、
蓄電素子と、
蓄電素子に沿って形成される風路と、
蓄電素子を保持するフレームと、
風路と連通するようにフレームの外面上で開放した開口部と、
該開口部を包囲する風路接続部材とを備えている。
【０００７】
かかる構成によれば、蓄電素子を冷却するための冷却媒体を流通させる風路が、フレームの外面上で開放した開口部と連通し、この開口部が風路接続部材によって包囲されていることにより、この風路接続部材で囲まれた内側も風路となる。すなわち、蓄電素子に沿って形成される風路の一方側は上流側とされ、他方側は下流側とされる。そして、この蓄電モジュールは、この蓄電素子に沿った上流側の風路に連結される風路接続部材内の風路から上流側の風路内に冷却媒体が誘導されやすくなる。また、この蓄電モジュールは、蓄電素子に沿った下流側の風路内の冷却媒体がこの下流側風路に連結された風路接続部材内の風路から下流側の風路内に漏れなく流通する。
【０００８】
ここで、本発明に係る蓄電モジュールの一態様として、
フレームは、風路に沿う方向の終端部材と、該終端部材を連結し、かつ、開口部を形成した連結部材とを備え、開口部以外で内部を密閉している
ようにすることができる。
【０００９】
かかる構成によれば、蓄電モジュールは、風路内の冷却媒体が開口部以外で漏洩しない、換言すれば、風路内の冷却媒体が開口部からのみ流出し、拡散しないようにすることができる。
【００１０】
また、本発明に係る蓄電モジュールの他態様として、
風路連結部材は、前記フレームに接合されている
ようにすることができる。
【００１１】
かかる構成によれば、風路接続部材がフレームに接合されることにより、風路接続部材によって、隣り合っている蓄電モジュールの風路と風路とを連結することができる。
【００１２】
また、本発明に係る蓄電モジュールの別の態様として、
蓄電素子は、一方向に複数整列され、
風路接続部材は、中央側の蓄電素子に沿って形成される風路の開口部を包囲する
ようにしてもよい。
【００１３】
かかる構成によれば、中央側の蓄電素子が端部側の蓄電素子よりも昇温することから、風路接続部材が中央側の蓄電素子によって形成される風路の開口部を包囲することで、電池間の温度差が生じないようにすることができる。
【００１４】
この場合、
複数整列された蓄電素子のうち、両側の蓄電素子に沿って形成される風路が一部塞がれている
ようにしてもよい。
【００１５】
かかる構成によれば、冷却媒体が端部側の蓄電素子に沿って形成された風路を一部塞ぐことで、中央側の蓄電素子に沿って形成された風路に集中して流通するため、蓄電素子を効率的に冷却することができる。
【００１６】
また、本発明に係る蓄電装置は、
蓄電素子と、蓄電素子に沿って形成される風路と、蓄電素子を保持するフレームと、風路と連通するようにフレームの外面上で開放した開口部と、該開口部を包囲する風路接続部材とを備えた蓄電モジュールを複数整列し、
風路接続部材が一方の蓄電モジュールの風路と他方の蓄電モジュールの風路とを連結している。
【００１７】
かかる構成によれば、蓄電装置は、一方の蓄電モジュールの風路と他方の蓄電モジュールの風路とが風路接続部材によって連結されるため、上流側の風路内の冷却媒体と下流側の風路内の冷却媒体との温度差や圧力損失の発生を抑制することができる。
【００１８】
ここで、本発明に係る蓄電装置の一態様として、
短手方向に風路を形成し、長手方向に蓄電素子を並べた前記蓄電モジュールを、短手方向に複数整列してもよい。
【００１９】
かかる構成によれば、蓄電モジュールが短手方向に並べられることにより、隣り合った蓄電モジュールの風路の開口部を向き合わせることができる。したがって、蓄電モジュールを長手方向に並べ、蓄電モジュールの風路の開口部が向き合わず、離れている風路の開口部同士を適宜部材によって連結した蓄電装置より、蓄電モジュールを短手方向に並べて向き合った風路を風路連結部材によって連結した方が風路長を抑え、また、風路を真っ直ぐに連結することができる。そのため、蓄電モジュールを短手方向に並べた蓄電装置では、蓄電モジュールを長手方向に並べた蓄電装置よりも、風路内を流通する冷却媒体について、温度差を小さくし、また、圧力損失の発生を抑制することができる。
【００２０】
また、本発明に係る風路接続部材は、内部に蓄電素子を有する蓄電モジュールの外面上で開放し、蓄電素子に沿って形成される風路と連通する開口部を包囲するように蓄電モジュールの外面上に設けられた環状凸部に対して接合可能に形成され、全周に亘って互いに間接又は直接に接続された一対の環状接合部を備える。
【００２１】
かかる構成によれば、蓄電モジュールの外面上に設けられた環状凸部に風路接続部材の環状接合部が接合されることにより、隣り合っている蓄電モジュールの風路と風路とが連結される。したがって、上流側の蓄電モジュールの風路内を流通している冷却媒体は、風路接続部材によって蓄電モジュールの外部に漏れにくくなって、下流側の蓄電モジュールの風路へ流出する。
【発明の効果】
【００２２】
以上のように、本発明によれば、冷却媒体が風路内を効果的に流通するようにした蓄電モジュール、この蓄電モジュールを備えた蓄電装置、及び、蓄電モジュールの風路同士を接続する風路接続部材を提供することができるという優れた効果を奏し得る。
【図面の簡単な説明】
【００２３】
【図１】図１は、本発明に係る一実施形態の電池モジュールを含む蓄電装置の分解斜視を示す。
【図２】図２は、同蓄電装置の断面正面図を示す。
【図３】図３は、同蓄電装置の要部であって、図２中のＡの拡大断面正面図を示す。
【図４】図４は、同蓄電装置を構成している電池モジュールの分解斜視図を示す。
【発明を実施するための形態】
【００２４】
以下、本発明に係る風路接続部材及びこの風路接続部材を備えた蓄電装置の一実施形態について、図面を参酌しつつ説明する。蓄電装置は、蓄電モジュールの一実施形態である電池モジュールを複数、整列した状態に備えている。
【００２５】
図１〜図４に示すように、電池モジュール１は、第一方向に整列される複数の電池セル３と、隣り合う電池セル３間及び第一方向における複数の電池セル３の両側にそれぞれ配置される複数のスペーサ５と、複数の電池セル３及び複数のスペーサ５を保持してパッケージ化する保持体としてのフレーム７と、複数の電池セル３の電圧、電流又は温度の少なくとも一つを電池セル３毎に監視するセル監視回路（ＣＭＵ：Cell Monitor Unit）モジュール９と、風路接続部材２０とを備えている。
【００２６】
なお、以下においては、便宜上、第一方向をＸ方向（各図に示された直交軸のうちのＸ軸方向）といい、第一方向と直交する第二方向をＹ方向（各図に示された直交軸のうちのＹ軸方向）といい、第一方向及び第二方向と直交する第三方向をＺ方向（各図に示された直交軸のうちのＺ軸方向）という。各図においては、Ｘ方向、Ｙ方向、Ｚ方向のそれぞれ一方側に対し、Ｘ、Ｙ、Ｚの記号を付している。なお、Ｚ方向が鉛直方向に置かれた場合、Ｚ方向は上下方向となり、Ｙ方向は左右方向、Ｘ方向は前後方向となる。
【００２７】
電池セル３は、図４に示すように、開口部を有するケース本体３１と、該ケース本体３１の開口部を塞いで密閉する蓋体３２とで構成されるケース３０を備えている。ケース３０内には、互いに絶縁された正極板と負極板とを含む電極体（図示せず）が収容されている。電池セル３は、Ｘ方向に扁平な角形電池である。
【００２８】
スペーサ５は、合成樹脂製であり、絶縁性を有している。スペーサ５は、スペーサ本体５０と、該スペーサ本体５０からＸ方向に延出し、Ｘ方向において該スペーサ本体５０と対向する電池セル３の外周端部を保持する保持部５１とを備えている。
【００２９】
なお、本実施形態に係る電池モジュール１では、スペーサ５の保持部５１によって電池セル３間に隙間が形成されている。この隙間は、冷却媒体である空気が流通する風路２とされる。すなわち、電池セル３に沿って風路２が形成されている。この電池モジュールは、風路２内に空気が流通することで電池セル３が冷却される、いわゆる空冷式が採用されている。空冷式のスペーサ５は、風路２を確保するために、例えば矩形波形状の断面形状を有するスペーサ本体５０が用いられる。
【００３０】
フレーム７は、Ｘ方向における複数の電池セル３の両側に配置され且つＸ方向において複数の電池セル３及び複数のスペーサ５を挟み込む一対の終端部材７０（いわゆるエンドプレート）と、該一対の終端部材７０同士を連結し、複数の電池セル３及び複数のスペーサ５を一体に緊締する連結部材７５とを備えている。一対の終端部材７０の間隔は、一対の連結部材７５の間隔よりも長くされている。すなわち、終端部材７０のＹ方向の長さが短手、連結部材７５のＸ方向の長さが長手とされている。
【００３１】
終端部材７０は、例えば鋳造によって形成された、例えばアルミなどの金属製である。終端部材７０は、雌ネジ７１０をＹ方向に沿って形成した終端部材本体７１と、該終端部材本体７１の下部からＸ方向外方に突出する脚部７２とを備えている。終端部材本体７１は、スペーサ本体５０と同様、電池セル３のケース３０がＸ方向から見て矩形状であるのに対応して、矩形状に形成されている。終端部材本体７１は、矩形状の枠部と、該枠部内に形成された格子形状のリブとで構成され、Ｘ方向にある程度の厚みを有しながらも、軽量であり、剛性を有している。
【００３２】
本実施形態では、同じ二つの終端部材７０が一対の終端部材７０として使用されている。すなわち、本実施形態では、同じ向きに並ぶ同じ二つの終端部材７０の一方の終端部材７０が１８０度ひっくり返され（Ｚ軸を中心として回転させられ）、互いに内面が対向した状態で、同じ二つの終端部材７０が使用されている。
【００３３】
連結部材７５は、Ｙ方向における複数の電池セル３の両側に一対設けられている。すなわち、連結部材７５は、Ｙ方向の一方側から複数の電池セル３に対向配置される連結部材７５と、Ｙ方向の他方側から複数の電池セル３に対向配置される連結部材７５とを備えている。
【００３４】
連結部材７５は、Ｘ方向に沿って延びて互いに間隔を有して平行する一対の横梁部７６と、該一対の横梁部７６のＸ方向における一端部同士及び他端部同士を連結する一対の縦梁部７７とを備え、全体として、矩形の枠形状を呈している。
【００３５】
また、連結部材７５の一対の縦梁部７７は、終端部材７０の終端部材本体７１と重なり合っている。そして、連結部材７５の一対の縦梁部７７には、ボルト８５のネジ部を通すための貫通孔７７１がＹ方向に沿って形成されている。貫通孔７７１は、連結部材７５のＸ方向における一端部及び他端部（以下、単に「一端部」、「他端部」という）のそれぞれにおいて、Ｚ方向に互いに間隔を有して一対設けられている。
【００３６】
そして、連結部材７５の外面（電池セル３に接する面の反対面）には、枠形状の内周縁に沿った内周側環状凸部７８と、枠形状の外周縁に沿った外周側環状凸部７９とが設けられている。内周側環状凸部７８は、風路２が外面上で開放した開口部２ａを包囲するように連結部材７５の外面から突出している。なお、内周側環状凸部７８と外周側環状凸部７９とは、例えば板状部材（プレート）を折り曲げることによって形成される。
【００３７】
そして、セル監視回路モジュール９は、セル監視回路（図示しない）を回路ケース９０に収容したものである。回路ケース９０は、開口部を有するケース本体９１と、該ケース本体９１の開口部を塞いで密閉する蓋体９２とを備えている。
【００３８】
以上の構成からなる電池モジュール１は、間にスペーサ５が配置されつつ複数の電池セル３がＸ方向に積層され、一端及び他端にある電池セル３の外側にもスペーサ５が配置され、さらにその両側に一対の終端部材７０が配置され、一対の終端部材７０間にＸ方向の圧縮力が掛けられた状態で、一対の連結部材７５が複数の電池セル３にＹ方向から配置されるとともに、連結部材７５の各貫通孔７７１に挿通されたボルト８５のネジ部が終端部材７０の各雌ネジ７１０に螺入され、複数の電池セル３及び複数のスペーサ５がフレーム７とともに一体化された後、セル監視回路モジュール９が複数の電池セル３にＺ方向から配置されて取り付けられる。
【００３９】
この電池モジュール１は、前記のように電池セル３のケース本体３１に沿って風路２をＹ方向に形成した構成となっている。そして、電池モジュール１は、風路２の開口部２ａを除いて密閉した状態とされている。
【００４０】
このような電池モジュール１が短手方向に複数並べられることで、図１に示すような（図１は、分解斜視図であるから、複数の電池モジュール１を離して描いてある）蓄電装置Ｂが構成される。この蓄電装置Ｂは、各電池モジュール１の風路２の開口部２ａが向き合った状態となっている。また、この蓄電装置Ｂは、内周側環状凸部７８と外周側環状凸部７９とが間隔を空けて向き合った状態となっている。
【００４１】
そして、本実施形態に係る電池モジュール１は、向き合っている内周側環状凸部７８に対して風路接続部材２０を接合したものとされている。風路接続部材２０は、各内周側環状凸部７８に接合される一対の環状接合部２１と環状の中間部２２とを備えている。より詳しくは、中間部２２は、第一端と反対側の第二端とを有している。そして、中間部２２の第一端の全周が一方（上流側）の環状接合部２１の全周に気密に接合している。また、中間部２２の第二端の全周が他方（下流側）の環状接合部２１の全周に気密に接合している。
【００４２】
そして、各環状接合部２１は、上流側の電池モジュール１の連結部材７５に設けられた内周側環状凸部７８と下流側の電池モジュール１の連結部材に設けられた内周側環状凸部７８とをそれぞれ挟む一対の挟持片２１ａを有している。すなわち、この環状接合部２１は、図２及び図３に示すように、断面形状がコ字形に形成されている。
【００４３】
また、環状接合部２１と中間部２２とは、同じ厚さに形成されている。したがって、中間部２２は、挟持片２１ａの内周面に連続するように接続されている。ただし、中間部２２は、挟持片２１ａの外周面に連続するように接続されてもよいし、挟持片２１ａの折返部で接続されてもよい。さらに、中間部２２は、内周側の挟持片２１ａと外周側の挟持片２１ａとの間隔の厚みを有する厚肉としてもよい。
【００４４】
いずれにしても、環状接合部２１は、ゴムなどの弾性を有する樹脂材料で成形される。いうまでもなく、環状接合部２１と中間部２２とが一体成形されてもよく、この場合は、中間部２２も弾性を有する樹脂材料で成形される。このような樹脂材料で成形された環状接合部２１は、電池モジュール１の内周側環状凸部７８に密着する。
【００４５】
そして、風路接続部材２０によって、電池セル３に沿った風路２に連通する風路２が形成される。したがって、この蓄電装置Ｂは、ある電池モジュール１（上流側の電池モジュール）に形成された風路２と、この電池モジュール１に隣り合った電池モジュール１（下流側の電池モジュール）に形成される風路２とを、風路接続部材２０によって形成される風路２によって直線状に連結した構成となっている。
【００４６】
したがって、この蓄電装置Ｂは、上流側の電池モジュール１の電池セル３に沿って形成された風路２内を流通している冷却媒体が風路接続部材２０によって形成された風路２内に圧力損失なくスムーズに流通し、さらに、下流側の電池モジュール１の電池セル３に沿って形成された風路２内に圧力損失なくスムーズに流通する。しかも、風路接続部材２０の環状接合部２１が電池モジュール１の内周側環状凸部７８に密着しているため、冷却媒体がこの電池モジュール１の風路２と風路接続部材２０の風路２との間から漏洩することはない。
【００４７】
したがって、蓄電装置Ｂは、小型のファン（図示しない）を風路２の下流端又は上流端に備えても、冷却媒体を上流側の風路２から下流側の風路２へ流通させることができる。
【００４８】
そして、この蓄電装置Ｂは、上流側の電池モジュール１の風路２内を流通した冷却媒体が電池セル３を冷却する。この冷却媒体は、風路接続部材２０によって形成された風路２内にスムーズに流通し、さらに、下流側の電池モジュール１の風路２内を圧力損失なくスムーズに流通する。そして、この下流側を流通している冷却媒体は、上流側の風路２内を流通していたときと温度差なく下流側の電池セル３を冷却する。
【００４９】
以上の構成からなる電池モジュール１によれば、電池セル３を冷却するために風路内に送られた冷却媒体が、この風路２と連通する開口部２ａから流出するが、開口部２ａが風路接続部材２０によって包囲されているため、開口部２ａから流出した冷却媒体は、拡散することなく、効果的に下流側へ流通する。
【００５０】
また、以上の構成からなる電池モジュール１によれば、フレーム７によって開口部２ａ以外を密閉することにより、風路２内の冷却媒体が開口部以外で漏洩しない、換言すれば、風路２内の冷却媒体が開口部７５からのみ流出し、冷却媒体が拡散しないようにすることができる。
【００５１】
また、以上の構成からなる蓄電装置Ｂによれば、一方の電池モジュール１の風路２と他方の電池モジュール１の風路２とが風路接続部材２０によって連結されるため、上流側の風路２内の冷却媒体と下流側の風路２内の冷却媒体との温度差や圧力損失の発生を抑制することができる。
【００５２】
また、以上の構成からなる蓄電装置Ｂによれば、電池モジュール１が短手方向に並べられることにより、隣り合った電池モジュール１の風路２の開口部２ａを向かい合わせにすることができる。したがって、電池モジュール１を長手方向に並べ、電池モジュール１の風路２の開口部２ａが向き合わず、離れている風路２の開口部２ａ同士をダクトなどの適宜部材（図示しない）によって連結した蓄電装置より、以上の構成からなる蓄電装置Ｂの風路連結部材によって連結した方が風路長を抑え、また、風路を真っ直ぐに連結することができる。したがって、電池モジュール１を短手方向に並べて連結された風路２内を流通する冷却媒体は、電池モジュール１を長手方向に並べて連結した風路２内を流通する冷却媒体よりも温度差を小さくし、また、圧力損失の発生を抑制することができる。
【００５３】
また、以上の構成からなる風路接続部材２０によれば、フレーム７の外面上に設けられた内周側環状凸部７８に風路接続部材２０の環状接合部２１が接合されることにより、隣り合っている電池モジュール１の風路２と風路２とが連結される。したがって、上流側の電池モジュール１の風路２内を流通している冷却媒体は、風路接続部材２０によって電池モジュール１の外部に漏れにくくなって、下流側の電池モジュール１の風路２へ流出する。
【００５４】
尚、本発明に係る電池モジュール１、風路接続部材２０及び蓄電装置Ｂは、上記実施形態に限定されるものではなく、本発明の要旨を逸脱しない範囲で種々の変更が可能である。
【００５５】
例えば、上記実施形態においては、風路接続部材２０は、上流側の電池モジュール１の風路２と下流側の電池モジュール１の風路２とを連結した。しかしながら、風路接続部材２０は、最上流の電池モジュール１において吸気する風路２に連結してもよい。最上流の吸気側の風路２に風路接続部材２０が接合された場合は、冷却媒体を電池モジュール１の風路２内に誘導しやすくすることができる。また、風路接続部材２０は、最下流の電池モジュール１において排気する風路２に連結してもよい。最下流の排気側の風路に風路接続部材２０が接合された場合は、冷却媒体を下流側のモジュールや排気ダクト（図示しない）に漏れなく流通させることができる。
【００５６】
また、上記実施形態においては、フレーム７は、電池セル３やスペーサ５の位置ずれを抑え、冷却媒体の流通が乱れにくいようにするため、一対の終端部材７０と一対の連結部材７５とを備えたものとした。しかしながら、フレームは、図示しないが、枡状の筐体で構成してもよい。枡状のフレームは、四角形状の底板部と、底板部に立設された一対の端板部及び一対の側板部とを備えている。底部部からは、隣り合った電池セル３の隙間に入り込む薄板状の位置決用リブが突設され、この位置決用リブによって各電池セル３が固定される。また、各端板部はＹ方向に向けられ、各側板部Ｘ方向に向けられ、各端板部の端縁と各側板部の端縁とが接合している。
【００５７】
そして、各側板部は、Ｘ方向に延びて互いに間隔を有して平行する横梁部と、該一対の横梁部をＺ方向に連結する複数の縦梁部とを備えている。縦梁部は、各電池セル３のケース本体３１の端部に沿う。すなわち、縦梁部と縦梁部との間に電池セル３に沿った風路２の開口部２ａが露出する。要するに、一対の横梁部と複数の縦梁部によって側板部を形成したフレームによっても風路接続部材を構成することができる。
【００５８】
例えば、上記実施形態においては、連結部材７５の縦梁部７７は、終端部材７０と重なり、終端部材７０側の電池セル３に沿った風路２を塞いでいない。すなわち、連結部材７５に形成された開口部２ａは、全ての風路２の開口部２ａを開口した。しかしながら、Ｘ方向の中心（中央側）の電池セル３が終端部材７０側の電池セル３よりも昇温することに鑑み、中央側の電池セル３に沿った風路２の開口部２ａを風路接続部材２０が包囲するようにしてもよい。すなわち、連結部材７５の縦梁部７７は、終端部材７０と電池セル３との間の風路２を塞ぎ、さらに、この終端部材７０側の電池セル３に沿った風路２を塞ぐような幅としてもよい。このようにすることにより、冷却媒体が中央側の電池セル３に沿った風路２内を集中的に流通し、昇温した中央側の電池セル３を効率的に冷却することができる。
【００５９】
また、上記実施形態においては、風路接続部材２０は、電池モジュール１の内周側環状凸部７８を挟む一対の挟持片２１ａを有している。しかしながら、風路接続部材２０は、挟持片２１ａを有さず、環状接合部２１を単なる環状部材としてもよい。この風路接続部材２０の環状接合部２１は、電池モジュール１の環状凸部を外側から嵌めることで、接合する。
【００６０】
また、上記実施形態においては、風路接続部材２０は、環状の中間部２２を備えている。しかしながら、風路接続部材２０は、中間部２２を備えず、一対の環状接合部２１同士を直接に接続したものとしてもよい。隣り合っている電池モジュール１の内周側環状凸部７８の間隔が狭い場合は、中間部２２を備えていない風路接続部材２０の環状接合部２１によって電池モジュール１の環状凸部を接合する。
【００６１】
また、上記実施形態では、風路接続部材２０は、弾性を有する樹脂材料で環状接合部２１を成形した。しかしながら、例えば、環状接合部２１と内周側環状凸部７８とが超精密研磨される場合などにおいては、環状接合部２１と内周側環状凸部５８との各接合面が密着するため、環状接合部２１は、弾性を有する樹脂材料で成形しなくてもよい。
【００６２】
また、上記実施形態においては、風路接続部材２０が電池モジュール１の内周側環状凸部７８に接合された。しかしながら、風路接続部材２０は、電池モジュール１の外周側環状凸部７９に接合されるようにしてもよい。
【００６３】
また、上記実施形態においては、風路接続部材２０は、内周側環状凸部７８と別体とされた。しかしながら、内側環状凸部７８又は外周側環状凸部７９が風路接続部材２０を構成してもよい。この場合は、隣り合っている電池モジュール１の内周側環状凸部７８同士又は外周側環状凸部７９同士が接合される。したがって、この内周側環状凸部７８又は外周側環状凸部７９の接合面は、隙間が生じないように嵌合形状とされる。
【００６４】
また、上記実施形態においては、内周側環状凸部７８及び外周側環状凸部７９は、板状部材（プレート）を折り曲げることで形成された。しかしながら、連結部材７５が枠形状に形成され、枠形状の内側が風路２の開口部２ａを包囲することにより、内周側環状凸部７８及び外周側環状凸部７９を必ずしも設けなくてもよい。すなわち、隣り合った電池モジュール１の連結部材７５の外面同士が密着することで、隣り合った電池モジュール１の風路２同士を連結することができる。なお、この場合は、冷却部材の漏洩を防止するため、隣り合った電池モジュール１の連結部材７５同士は、接着剤やシール部材などで接合しておくことが好ましい。
【００６５】
また、上記実施形態においては、風路接続部材２０は電池モジュール１に備えられるものとした。しかしながら、風路接続部材２０は、電池モジュール１とは別個の構成部材として、すなわち、電池モジュール１に接続される単体として使用してもよい。
【００６６】
また、電池モジュール１は、電池セル３を複数ではなく１個のみ備えていてもよい。
【００６７】
また、上記実施形態においては、リチウムイオン二次電池について説明した。しかしながら、電池の種類や大きさ（容量）は任意である。
【００６８】
また、本発明は、リチウムイオン二次電池に限定されるものではない。本発明は、種々の二次電池、その他、一次電池や、電気二重層キャパシタ等のキャパシタにも適用可能である。
【符号の説明】
【００６９】
１…電池モジュール、２…風路、２ａ…開口部、２０…風路接続部材、２１環状接合部、２１ａ…挟持片、２２…中間部、３…電池セル、５…スペーサ、７…フレーム、７０…終端部材、７１…終端部材本体、７５…連結部材、７６…横梁部、７７…縦梁部、７８…内周側環状凸部、７９…外周側環状凸部、７７１…貫通孔、８５…ボルト、９…セル監視回路（ＣＭＵ）モジュール、Ｂ…蓄電装置
【図１】
2014203752.tif 000003
【図２】
2014203752.tif 000004
【図３】
2014203752.tif 000005
【図４】
2014203752.tif 000006